Podtech/llm-jp-corpus-v4-ja_patent huggingface dataset:
(57)【要約】  【課題】  室内への侵入阻止を実効あらしめる引き違い窓の提供。  【解決手段】窓枠の内部に、矩形の枠体の内部にペアガラスを嵌装して形成された障子を一対装着し、前記一対の障子が締め具によりロックされるようにした引き違い窓において、前記ペアガラスが室外から破損されたことを検知するセンサと、前記ペアガラス間の上部に配設され、前記センサの作動時に、通電されることにより前記枠体の内部を封鎖すべく下方向に展伸する、形状記憶合金で作製したバリア体とを設けた。【選択図】  図１
2006063638.tif 000002
【特許請求の範囲】
【請求項１】
窓枠の内部に、矩形の枠体の内部にペアガラスを嵌装して形成された障子を一対装着し、前記一対の障子が締め具によりロックされるようにした引き違い窓において、前記ペアガラスが室外から破損されたことを検知するセンサと、前記ペアガラス間の上部に配設され、前記センサの作動時に、通電されることにより前記枠体の内部を封鎖すべく下方向に展伸する、形状記憶合金で作製したバリア体とを設けた、引き違い窓。
【発明の詳細な説明】
【技術分野】
【０００１】
本発明は、引き違い窓に関する。
【背景技術】
【０００２】
一般に、引き違い窓は、窓枠と、この窓枠内に水平方向に移動可能な一対の障子とを備えており、この一対の障子が窓枠の開口を閉鎖している間、防犯上、一対の障子は、締め具などの締め具により、相互にロックされる。しかして、このロックは、障子のガラスを破れば、外部から簡単に解除され易いことから、例えば特許文献１は、締め具がリモコンでないとロック解除されない構造を採用することで、締め具操作による窓の開放が阻止される。結果、侵入者の侵入が防止できる。
【特許文献１】特許第３３８３８７９号公報
【発明の開示】
【発明が解決しようとする課題】
【０００３】
確かに特許文献１に開示された引き違い窓は、優れたものであるが、汎用性にかける。つまり、引き違い窓が、面積が広い吐き出し窓の場合は、ガラスを破れば、侵入者は、締め具のロック解除をせずに室内に侵入できるからである。
【０００４】
それ故に、本発明は、ガラスが破られても、室内への侵入阻止を実効あらしめる引き違い窓を提供することを、その技術的課題とする。
【課題を解決するための手段】
【０００５】
上記の課題を解決するために講じた技術的手段は、請求項１に記載のように、
「窓枠の内部に、矩形の枠体の内部にペアガラスを嵌装して形成された障子を一対装着し、前記一対の障子が締め具によりロックされるようにした引き違い窓において、前記ペアガラスが室外から破損されたことを検知するセンサと、前記ペアガラス間の上部に配設され、前記センサの作動時に、通電されることにより前記枠体の内部を封鎖すべく下方向に展伸する、形状記憶合金で作製したバリア体とを設けた、引き違い窓。」
を構成したことである。
【発明の効果】
【０００６】
請求項１に記載の発明によれば、ガラスが破損されても、バリア体が枠内で下方向に展伸して、破損で開放された枠体を封鎖するので、侵入者の侵入を阻止できる。
【発明を実施するための最良の形態】
【０００７】
以下、添付図面に依拠して、本発明に係る引き違い窓の実施形態の一例について説明する。
【０００８】
図１及び図２において、引き違い窓１０は、建物の壁に嵌装される窓枠１１と、この窓枠１１の内部に左右方向に相対移動可能な装着されて窓枠１１の開口部を開閉する一対の障子１２・１２とから構成される。一対の障子１２・１３が窓枠１１の開口部を閉鎖しているとき、締め具である締め具１４をロック位置に変移させると、一対の障子１２・１３がロックされ、一方の障子１２が他方の障子１３に対する水平方向の相対移動ひいては窓枠１１の開口部の開放が阻止される。
【０００９】
障子１２（１３）は、上框１２Ａ、下框１２Ｂ並びに上框１２Ａ及び下框１２Ｂを連結する一対の縦框１２Ｃ・１２Ｃからなる矩形枠１２Ｆ（上框１３Ａ、下框１３Ｂ並びに上框１３Ａ及び下框１３Ｂを連結する一対の縦框１３Ｃ・１３Ｃからなる矩形枠１３Ｆ）の中に、所定の間隔をおいて平行配置される室外側ガラス１５及び室内ガラス１６を嵌装することにより構成される。ガラス１５・１６の間には、バリア体２０が上框１２Ａに近接配置される。バリア体２０は、形状記憶合金で作製されており、通電されていない状態では、図１及び図２に示すように、圧縮されて、全体として筐体を呈するが、通電されると、図３のように蛇腹的に伸長する特性を備える。尚、上框１２Ａの内面に刻設された溝（図示略）及び下框１２Ｂの内面に刻設された溝（図示略）にはバリア体２０の一方端部及び他方端部は嵌着されており、バリア体２０の、通電時の伸長の際、バリア体２０の一方端部及び他方端部は、夫々、上框１２Ａの内面に刻設された溝（図示略）及び下框１２Ｂの内面に刻設された溝（図示略）に沿って下方向にガイドされる。
【００１０】
障子１２（１３）の室内側のガラス１６上には、室内から脱着できるように、センサ３０が装着されている。このセンサ３０は、ガラス１６が破損されると、信号を制御装置４０に送る。しかして、この信号を受けた制御装置４０は、図４に示されるスイッチ４１を閉成して、電源４２からバリア体２０に通電をなすようになっているので、この通電により、バリア体２０は圧縮された状態から伸長して、図５に示されるように、障子１２（１３）の矩形枠１２Ｆ矩形枠１２Ｆ（矩形枠１３Ｆ）の開口を閉塞する。ガラス１６は、外部からの侵入者がガラス１５と同時に破損するのが通例であるので、侵入者の家屋内への侵入を防止することができる。
【図面の簡単な説明】
【００１１】
【図１】：  本発明に係る引き違い窓の実施形態の一例の、室内側から見た正面図。
【図２】：  図１の引き違い窓における、障子の縦断面図。
【図３】：  ガラス破損時の、障子の縦断面図。
【図４】：  図１の引き違い窓における、制御系のブロック図。
【符号の説明】
【００１２】
１０：引き違い窓
１１：窓枠
１２・１３：障子
１４：締め具
１５・１６：ペアガラス
２０：バリア体
【図１】
2006063638.tif 000003
【図２】
2006063638.tif 000004
【図３】
2006063638.tif 000005
【図４】
2006063638.tif 000006
(57)【要約】【課題】  都心部のアスファルト等の道路等の舗装化によるヒートアイランド化現象等による都心部の高温化を防止する貯水機能付側溝を提供する。【解決手段】  Ｕ字状の側溝の本体５に側板６，６より低い高さの仕切板７により仕切られた排水部８と貯水部９，９を本体５の流水方向に並列に設け、排水部８に流れる排水の一部を本体１下の土壌へ透水させるために底部１１に透水孔１０，１０，１０，１０を設ける。【選択図】  図２
2006063614.tif 000002
【特許請求の範囲】
【請求項１】
１つ又は複数の貯水部を設けたことを特徴とする貯水機能付側溝。
【請求項２】
排水部の底部の一部又は全部を透水性構造とすることを特徴とする請求項１記載の貯水機能付側溝。
【請求項３】
排水部と貯水部を並行に設けたことを特徴とする請求項１又は２記載の貯水機能付側溝。
【発明の詳細な説明】
【技術分野】
【０００１】
本発明は、降雨水を貯水する機能を備えた車道等の側溝に関するものである。
【背景技術】
【０００２】
近年、都心部の道路等の舗装化が進むにつれ、土壌がアスファルト等で覆われて、土壌の水分蒸発による冷却効果が小さくなり、ヒートアイランド化現象の一因となっている。
【０００３】
この問題を解決するため特許文献１に示すような透水性道路が考えられたが、透水孔が塵等で詰り、透水性が低下するため定期的なメンテナンスが必要であり、また道路下の土壌に浸透した降雨水は全て土壌の水分として保持されるわけでなく、地下水として大部分が流されてしまうため、しばらく降雨がない日が続くと土壌の水分を使い切ってしまい、その効果を発揮できない場合があった。
【特許文献１】特開昭47-30132号公報
【発明の開示】
【発明が解決しようとする課題】
【０００４】
そこで本発明は、ヒートアイランド化現象等による都心部の高温化を防止する貯水機能付側溝を提供することを課題とするものである。
【課題を解決するための手段】
【０００５】
本発明は、上記課題を解決するためになされたもので、第１の発明は、一つ又は複数の貯水部を設けたことを特徴とする貯水機能付側溝である。
【０００６】
第２の発明は、第１の発明において排水部の底部の一部又は全部を透水性構造とすることを特徴とする貯水機能付側溝である。
【０００７】
第３の発明は、第１又は第２の発明において排水部と貯水部を並行に設けたことを特徴とする貯水機能付側溝である。
【発明の効果】
【０００８】
以上、本発明によれば一般的な排水機能を保持しつつ、降雨水を貯水することができ、貯水した水は蒸発にのみ消費されるため長期間降雨がなくても水分蒸発による冷却効果を期待することができる。また排水部の底部に一部又は全部を透水性構造として土壌へ浸透させることにより、土壌からの水分蒸発による冷却効果をも期待することができる。
【０００９】
また、貯水部を流水方向に複数設けることにより、斜面の道路の側溝として設置されても水が全て流れ落ちることがなく貯水部に残留するため冷却効果を発揮することができる。
【実施例１】
【００１０】
図１は本発明にかかる一実施例を示すもので、１はＵ字状の側溝の本体、２，２は本体１の側板、３，３は側板２より低い高さの仕切板４，４で仕切られている貯水部である。
【００１１】
かかる実施例では側溝に流れ込む水量が貯水部３の容量を越えたとき余分な水が排水され、容量以下の場合は貯水部３に貯水される。
【実施例２】
【００１２】
図２は本発明にかかる第２の実施例を示すもので、５はＵ字状の側溝の本体、６，６は側板、７は排水部８と貯水部９を仕切る仕切板で側板６より低い高さに設けられている。１０，１０，１０，１０は排水部８の底部１１に設けられた透水孔である。
【００１３】
かかる実施例２では本体１に流入する水は排水部８を通り、一部の水は透水孔１０により側溝下の土壌へと排出される。そして流水量が増量して水位が仕切板７を越えたとき、本体１を流れる排水の一部は貯水部９に貯水される。
【実施例３】
【００１４】
図３は本発明にかかる第３の実施例で、１２はＬ字状の側溝の本体、１３は側板、１４，１４は貯水部、１５は排水部、１６，１６，１６，１６は排水部の傾斜した底部１７に設けられた透水孔である。
【００１５】
かかる実施例３によれば、路面から排水される殆どの水は先ず貯水部１４に流入して貯水され、溢流した水は排水部１５を通って排水され、一部の水は透水孔１６により本体１２下部の土壌へと排出される。
【図面の簡単な説明】
【００１６】
【図１】本発明にかかる実施例１を示すもので、（ａ）は平面図、（ｂ）はＡ−Ａ線断面図。
【図２】本発明にかかる実施例２を示すもので、（ａ）は平面図、（ｂ）はＢ−Ｂ線断面図。
【図３】本発明にかかる実施例３を示すもので、（ａ）は平面図、（ｂ）はＣ−Ｃ線断面図。
【符号の説明】
【００１７】
１，５  本体
２，６  側板
３，９  貯水部
４，７  仕切板
８      排水部
１０    透水孔
１１    底部
【図１】
2006063614.tif 000003
【図２】
2006063614.tif 000004
【図３】
2006063614.tif 000005
(57)【要約】【課題】潮の満ち干きによって起こる．潮流を利用して水車を回し発電する装置【解決する手段】海底に重り１０を設置し、ワイヤーで浮タンク８を水中に取り付ける．浮タンク８に水車を支えるパイプ５を設置するそのパイプ５に水車の骨組３を支し込む．骨組３にワイヤー４が付いたカバー２を取り付けて水車が回る．水車と連結してある発電気６が回り発電する装置【選択図】図１
2006063967.tif 000002
【特許請求の範囲】
【請求項１】
海底に重りを設置し、その重りからワイヤーで浮タンクにつなぎ水中に浮タンクを固定する、その浮タンクにカバーを張った縦型の水車を取り付けて潮流を利用して水車を回し発電する装置
【発明の詳細な説明】
【技術分野】
【０００１】  本発明は潮流を利用して発電する装置に関するものである
【背景技術】
【０００２】  潮流を利用した発電装置は外国で造られているのをテレビで見ましたが一般に使われている三枚羽の風力発電気を海底に取り付けて発電していた．この方法では大型化がむずかしいい
【発明の開示】
【発明が解決しようとする課題】
【０００３】  解決しようとする問題点は、本発明は潮流の抵抗を縦型水車で受け止め回転させる方法を取っているので大型化出来る
【課題を解決するための手段】
【０００４】  本発明は円筒形で縦型水車にしてあるため、骨組を２階立、３階立にすれば大型化が可能になる
【発明の効果】
【０００５】  本発明により化石燃料を使わずに発電出来るため、二酸化炭素を出さないクリーンエネルギーを提供出来るといる利点がある
【発明を実施するための最良の形態】
【０００６】  本発明は海底に重りを説置し水車と浮タンクを付けて水中にワイヤーで固定してあるので潮の流れが早い所であればある程度深い所でも設置が可能である
【実施例１】
【０００７】  図１は縦型水車を真上から見た図である
【産業上の利用可能性】  本発明は風力発電のように環境にやさしくクリーンなエネルギーを提供する事に役立つ事が出来る
【図面の簡単な説明】
【０００８】
【図１】縦型水車が回るようすを説明した図である
【図２】縦型水車の側面図である
【図３】縦型水車に張るカバーを表わしたものである
【図４】縦型水車と発電気を表わしたものである
【図５】縦型水車を海中に説置したようすを表わしたものである
【符号の説明】
【０００９】１水車の心棒              ８浮タンク
２カバー                  ９重り
３骨組                  １０海底
４カバーを引張っるワイヤー
５水車を支えるパイプ
６発電気
７海面
【図１】
2006063967.tif 000003
【図２】
2006063967.tif 000004
【図３】
2006063967.tif 000005
【図４】
2006063967.tif 000006
【図５】
2006063967.tif 000007
(57)【要約】【課題】簡単に労力が少なく時間の掛からない火熾しファンを提供する。【解決手段】フレームの内部にモーターと電源となる乾電池を設け、フレームの上部片側に設けたスイッチとフレームの内部に端子を配設、接続し、モーターの先端にファンを取付け、ファンの外側にフレームの片側より取付けたダクトを設ける。【選択図】図１
2006063966.tif 000002
【特許請求の範囲】
【請求項１】
フレームの内部にモーターと電源となる乾電池を設け、フレームの上部片側に設けたスイッチとフレームの内部に端子を配設、接続し、モーターの先端にファンを取付け、ファンの外側にフレームの片側より取付けたダクトを設けた火熾しファン
【発明の詳細な説明】
【技術分野】
【０００１】  本発明は、屋内、屋外で使用し、ファンを回転駆動させることにより、空気を強制的に供給することを特徴とする火熾しファンに関するものである。
【背景技術】
【０００２】  従来、屋外でバーベキューする時、コンロで炭に火を熾す場合、火吹き竹、うちわ等を使用する事が一般的でしたが、労力も時間を掛かって大変であった。
【発明の開示】
【発明が解決しようとする課題】
【０００３】  本発明は、少ない労力で時間が掛からない火熾しファンの提供するものである。
【課題を解決する為の手段】
【０００４】  フレーム内部にモーターを内蔵し、空気を集中的に導入する為のダクトを設け、「オン」「オフ」切り替え可能なスイッチを設け、モーターを電動可動させ、ファンを回転駆動させることにより空気を強制的に供給する手段を講じたものである
【発明の効果】
【０００５】  本発明により、少ない労力で短時間に火を熾すことができる。
【発明を実施する為の最良の形態】
【０００６】  以下、本発明の実施の形態を図１に基づいて説明する。
【０００７】  図１においてプラスチック又は金属で作られたフレーム１の内部にモーター２と電源となる乾電池３を設けた、内蔵されたモーター２は切り替え機能をもつスイッチ５により、「オン」の状態でモーター２は電動可動され、ファン６を回転駆動することにより、空気はダクト７の入口より吐出口へと送られる。
【０００８】  ファン６は軸流形のファンで金属又はプラスチックで製作され、複数枚のブレードにより構成されている。
【０００９】  以下、上記構成の動作を説明する。これを使用するときは、フレームを手に持ち、又は架台に固定し、空気の必要供給部にダクト吐出部を向け、スイッチを「オン」の状態にすると、モーターは電動可動し、ファンが回転駆動する。空気はダクト入口より吐出部を通って、集中的に必要供給部に供給される
【図面の簡単な説明】
【００１０】
【図１】本発明の実施形態を示す断面図
【図２】同、右側面より見た外観図
【符号の説明】
【００１１】１    フレーム
２    モーター
３    乾電池
４    端子
５    スイッチ
６    ファン
７    ダクト
【図１】
2006063966.tif 000003
【図２】
2006063966.tif 000004
(57)【要約】【課題】  部品点数および組付工数の増加を招くことなくメインキャップをシリンダブロックに的確に締付固定する。【解決手段】  クランクシャフト４を挟んで配設した左右一対のボルト３、３でメインキャップ２をシリンダブロック１に締付固定してクランクシャフトを保持するようにしたＶ型エンジンにおいて、前記シリンダブロック１とメインキャップ２の合わせ面１ａ、２ａの少なくとも一部をクランクシャフト４の軸線と平行で前記ボルト３、３の軸方向に対して傾斜する傾斜面で形成したことにより、ボルト３、３の締付力を傾斜面で横方向にも分力させてメインキャップ２の横方向への移動を阻止するようにした。【選択図】  図１
2006063933.tif 000002
【特許請求の範囲】
【請求項１】
クランクシャフト（４）を挟んで配設した左右一対のボルト（３）、（３）でメインキャップ（２）をシリンダブロック（１）に締付固定してクランクシャフト（４）を保持するようにしたＶ型エンジンにおいて、前記シリンダブロック（１）とメインキャップ（２）の合わせ面（１ｂ）、（２ｂ）の少なくとも一部をクランクシャフト（４）の軸線と平行で前記ボルト（３）、（３）の軸方向に対して傾斜する傾斜面で形成したことを特徴とするＶ型エンジンのクランクシャフト保持装置。
【発明の詳細な説明】
【技術分野】
【０００１】
本発明はＶ型エンジンのクランクシャフト保持装置に係り、特に、クランクシャフトを保持するシリンダブロックとメインキャップの合わせ面の構造を改良した保持装置に関するものである。
【背景技術】
【０００２】
Ｖ型エンジンにおいては、左右バンクのメインジャーナルを共用しているために、メインキャップをシリンダブロックに締付固定するボルトの軸方向に対して傾斜する方向の爆発荷重が作用する。このような斜め方向の荷重に対応させるためには、ボルトの本数を増やし、あるいは、例えば特許文献１などに見られるように、ボルトの軸線と直交する方向のサイドボルトを用いてメインキャップをシリンダブロックに横方向から締付固定することが有効である。
【０００３】
ところが、上記のように通常のボルトに加えてサイドボルトを用いると、部品点数およびメインキャップの取付工数が増加してコスト高を招いてしまうという不具合があった。
【特許文献１】特開２０００−７３８５８号公報
【発明の開示】
【発明が解決しようとする課題】
【０００４】
解決しようとする問題点は、部品点数および組付工数の増加を招くことなくメインキャップをシリンダブロックに的確に締付固定することができない点である。
【課題を解決するための手段】
【０００５】
本発明は、クランクシャフトを挟んで配設した左右一対のボルトでメインキャップをシリンダブロックに締付固定してクランクシャフトを保持するようにしたＶ型エンジンにおいて、前記シリンダブロックとメインキャップの合わせ面の少なくとも一部をクランクシャフトの軸線と平行で前記ボルトの軸方向に対して傾斜する傾斜面で形成したことを最も主要な特徴としている。
【発明の効果】
【０００６】
本発明に係る保持装置は、シリンダブロックとメインキャップの合わせ面の少なくとも一部をクランクシャフトの軸線と平行で前記ボルトの軸方向に対して傾斜する傾斜面で形成しているために、ボルトの締付力が傾斜面の分力作用で横方向への位置決め力として作用する結果、斜め荷重に対してもメインキャップが安定保持される。
【０００７】
また、ボルトを締め付ければシリンダブロックに対してメインキャップが傾斜面の案内を受けて自動的に左右所定の位置に向って移動するために、メインキャップの組付作業性が改善される、という利点がある。
【発明を実施するための最良の形態】
【０００８】
図１は本発明に係るクランクシャフト保持装置の一実施形態を示す正面図であり、シリンダブロック１には下方に向って開口する半円状の保持部１ａを設ける一方、この保持部に対向する半円状の保持部２ａを設けたメインキャップ２を左右一対のボルト３、３でシリンダブロック１に下方から締付固定してクランクシャフト４を軸支保持させている。なお、前記両保持部１ａ、２ａの内周には必要に応じてベアリングが取り付けられる。
【０００９】
ここに本実施例においては、シリンダブロック１とメインキャップ２の合わせ面を、クランクシャフト４の軸線と平行で前記ボルト３、３の軸方向に対して逆方向に傾斜する傾斜面を交互に連設させた山谷形状に設定して噛み合わせている。
【００１０】
従って、ボルト３、３を締め付けると、合わせ面の傾斜面が噛合係合してシリンダブロック１とメインキャップ２の横方向への位置決め作用を行なって横方向への見かけ摩擦係数を増大させるために、斜め荷重に対してもメインキャップ２が安定保持される。
【００１１】
また、クランクシャフト４を挟んで配設された左右の合わせ面を、クランクシャフト４を中心とする左右対称の形状に設定しているために、ボルト３、３の締め付けによってメインキャップ２の左右方向への位置決めが傾斜面の案内を受けて自動的に行なわれるために、メインキャップ２の組付作業性も改善される。
【００１２】
上記実施形態においては、シリンダブロック１とメインキャップ２の合わせ面を山谷形状としているが、例えば図２に示した実施形態のように、シリンダブロック１とメインキャップ２の合わせ面を傾斜面による段付状にしてもよく、要するにその一部に傾斜面を設けたものであれば合わせ面の形状を適宜変更することができる。
【００１３】
なお、図２に示した実施形態のように合わせ面を傾斜面による段付形状とするに際して、その段付面をクランクシャフト４の軸線と平行でボルト３、３の軸方向に対して傾斜する傾斜面で形成するとともに、左右対称の形状に設定した場合は、合わせ面の形状を単純化してその機械加工性を改善しつつ、図１に示した実施形態の場合と同様に横方向への位置決め作用を行なわせることができる利点がある。
【００１４】
因に、Ｖ型エンジンの左右バンク角によっても相違するが、一般には傾斜面をボルト３、３の軸線に対して４５度の角度で傾斜させることにより、必要かつ充分な横方向への移動防止効果を得ることができる。
【図面の簡単な説明】
【００１５】
【図１】本発明に係るＶ型エンジンのクランクシャフト保持装置の一実施形態を示す要部の正面図である。
【図２】本発明に係るＶ型エンジンのクランクシャフト保持装置の他の実施形態を示す要部の正面図である。
【符号の説明】
【００１６】
１    シリンダブロック
１ａ    保持部
１ｂ    合わせ面
２    メインキャップ
２ａ    保持部
２ｂ    合わせ面
３    ボルト
４    クランクシャフト
【図１】
2006063933.tif 000003
【図２】
2006063933.tif 000004
(57)【要約】【課題】  抗菌性及び臭気抑制効果がある衣料用洗浄剤を提供する。【解決手段】  ポリヘキサメチレングアニジン燐酸塩を衣料用洗浄剤に添加することにより、細菌類の繁殖を抑制し、臭気の発生を抑制することができる。また本剤は皮膚への刺激がなく、安心して使用することが可能である。【特許請求の範囲】
【請求項１】
ポリヘキサメチレングアニジン燐酸塩を含有する衣料用洗浄剤。
【発明の詳細な説明】
【技術分野】
【０００１】  本発明は、衣料用洗浄剤に関する。
【背景技術】
【０００２】  最近、衛生面に対する意識が高まり、家庭用洗剤においても、洗濯後衣料の生乾き臭を抗菌によってその臭気の発生を抑制する製品が上市されている。これまでは漂白剤によって抗菌効果を付与することが行われてきたが、漂白剤による色落ちが問題になっている。【０００３】  また漂白剤のかわりに使用されているカチオン系殺菌剤は、多くの細菌類に効果があり、速効性はあるが、皮膚な対する毒性が強い。
【発明の開示】
【発明が解決しようとする課題】
【０００４】  本発明の課題は抗菌性に優れ、陰干し、生乾き等の被洗濯物からの悪臭発生を防止し、なおかつ皮膚に触れても安心できる衣料用洗浄剤を提供することである。
【課題を解決するための手段】
【０００５】  上記課題を解決するため、本発明者らは抗菌スペクトルが広く、皮膚対する刺激、毒性の少ない抗菌剤を基本にスクリーニングし、ポリヘキサメチレングアニジン燐酸塩が顕著な効果を示すことを発見し、本発明を完成した。
【発明の効果】
【０００６】  本発明のポリヘキサメチレングアニジン燐酸塩は細菌類のみならず、真菌類、酵母類に対しても強い殺菌効果を示す。また皮膚に対する刺激性、感作性もない。
【課題が解決するための最良の形態】
【０００７】  本発明の洗浄組成物はポリヘキサメチレングアニジン燐酸塩を含有する。悪臭発生防止の点で０．１〜２０重量％含有することが好ましく、１〜１０重量％がより好ましい。
【０００８】  本発明の洗浄組成物には、他の抗菌剤や防カビ剤，消臭剤、芳香剤等を併用することもできる。
【実施例】
【０００９】  以下、実施例により詳細説明する。しかし、本発明はこれらの実施例に限定されるものではない。【００１０】  （実施例１）市販の衣料用洗剤（トップ：ライオン（株）にポリヘキサメチレングアニジン燐酸塩（以下ＰＨＭＧと略す。）を添加し、試作品とした。【００１１】  （抗菌性の確認）
試作品の０．１３％（３０ｇ／４０ｌ）液１０ｍｌに菌液（Ｓｔａｐｈｙｌｏｃｏｃｃｕｓ  ａｕｒｅｕｓ  ＮＢＲＣ１２７３２，菌数：約１０８Ｃｅｌｌｓ／ｍｌ）０．１ｍｌを接種し、１０分間室温で作用した。１０分後菌接種液中の菌数を測定した。その結果を表１に示す。【００１２】
【表１】
2006063292.tif 000002
【００１３】  （生乾き臭抑制の確認）
男性が２４時間着用した肌着（綿１００％）を試作品を用いて市販全自動洗濯機（ＭＡＷ−６０ＴＰ：三菱電機（株）製）で洗浄した。洗濯条件以下の通り。
水量：３８ｌ，試作品濃度：０．１３％（２８．５ｇ／３８ｌ）
洗い：１０分間→すすぎ：注水×２回→脱水：３分間
脱水後、湿度６０％，室温２０℃の恒温恒湿室で約１時間乾燥した。【００１４】  乾燥した肌着の臭いを５人のパネラーにより生乾き臭抑制効果の確認を行った。その結果を表２に示す。【００１５】
【表２】
2006063292.tif 000003
【産業上の利用可能性】
【００１６】  本発明のポリヘキサメチレングアニジン燐酸塩を添加した衣料用洗浄剤は、抗菌効果と室内干し時の臭気抑制効果に優れている。また皮膚への刺激もなく、安心して使用ができる。
(57)【要約】【課題】本発明の目的は、天然物で人体に安全であることが分かっており且つ高価で、有効性の高い、アワビエキスを粉体にし、吸収性を下げることなく、化粧水、化粧クリーム、美容液などの化粧料の原料として利用することを課題とした。【解決手段】肌や頭皮に有効なミネラル分やタウリンを多く含むと同時に高い安全性を有し、さらに皮膚を滑らかにするように製造したアワビエキス粉末を配合する化粧水、化粧クリーム、美容液などの化粧料の発明である。【特許請求の範囲】
【請求項１】
アワビを貝と生肉とに分離し、生肉を塩もみした後、ボイルし、得られた煮汁に塩化ナトリウムを加え熟成させ、その熟成させたものをろ過し、脱塩したものを結晶化させ、粒子を整えて完成したアワビエキス粉末を配合したことを特徴とする化粧料。
【請求項２】
アワビを貝と生肉とに分離し、生肉を塩もみした後、ボイルし、得られた煮汁に塩化ナトリウムを加え熟成させ、その熟成させたものをろ過し、脱塩したものを漂白した後に、結晶化させ、粒子を整えて完成したアワビエキス粉末を配合したことを特徴とする化粧料。
【請求項３】
攪拌しながらアワビエキス粉末を配合したことを特徴とする請求項1および２記載の化粧料。
【発明の詳細な説明】
【技術分野】
【０００１】
本発明はアワビエキス粉末を配合した洗顔料、化粧水、化粧クリーム、美容液、育毛料などの化粧料に関するものである。
【背景技術】
【０００２】
貝類の粉体については、従来貝の殻の粉体のものが多く、これらのものはヒドロキシアパタイト等の無機のカルシウム化合物と蛋白などの有機化合物が複雑な構造を形成している有機−無機複合化合物であることが知られており、これらを粉砕して飼料等に使用することは知られているが、このものに焼成処理と粉砕処理とを加えて、粉体と為し、化粧料に含有させることは行われていなかった。更に、この様な貝類の殻の多くはただ単なる廃棄物として処理されているのが常であった。
【０００３】
粉体には、貝の本体全体に代謝活性化剤を含んでいる事に着目し、貝のむき身、むき身に凍結乾燥、天日乾燥、熱風乾燥や加熱等の処理を施した加工品、それらの粉砕物、むき身をホモジナイズして防腐処置を施したホモジネート品などをそのまま用いたりするものもある。
【０００４】
【特許文献１】特開２００１−４８７４８
【特許文献２】特開平７−２８５８７３
【発明の開示】
【発明が解決しようとする課題】
【０００５】
貝殻を粉体にしたものは、ヒドロキシアパタイト等の無機のカルシウム化合物と蛋白などの有機化合物が複雑な構造を形成している有機−無機複合化合物で、化粧料の原料としては画期的なものではなく、吸収されにくいものであった。また、むき身をホモジナイズして粉体にしたものも吸収性には難点があった。
【０００６】
本発明の目的は、天然物で人体に安全であることが分かっており且つ高価で、有効性の高い、アワビエキスを粉体にし、吸収性を下げることなく、化粧水、化粧クリーム、美容液などの化粧料の原料として利用することを課題とした。
【課題を解決するための手段】
【０００７】
エッセンスとしての抽出液はもちろん、上記の粉末との決定的な違いを持つ本発明のアワビエキス粉末は、食用として非常に高価なアワビを用い、アワビを貝と生肉とに分離し、生肉を塩もみした後、ボイルし、得られた煮汁に塩化ナトリウムを加え熟成させ、その熟成させたものをろ過し、脱塩したものを漂白した後に結晶化させ、粒子を整えて完成したものである。
【０００８】
大きな特長としては長期熟成させるところにある。アワビを貝と生肉とに分離し、生肉を塩もみした後、９５℃以上でボイルし、得られた煮汁に塩化ナトリウムを加えたものを、最低一年半は寝かせるという長期熟成をさせることにより、分子が低分子化し、体内に吸収されやすくなる。
【０００９】
また漂白することにより美観が増し、化粧料に配合する上での利用価値が上がるものである。
【００１０】
こうして製造されたアワビエキス粉末にはタウリン、アルギニン、アスパラギン酸をはじめとする有効なアミノ酸が20種類含まれている。
【００１１】
上記製造方法により製造されたアワビエキス粉末は過去に前例がない。
【００１２】
また、上記製造方法のアワビエキス粉末を洗顔料、化粧水、化粧クリーム、美容液、育毛料などの化粧料に配合するというのも、過去に前例がなく、非常に画期的なことである。
【００１３】
本発明者らは上記目的を達成するため鋭意検討した結果、アワビエキス粉末は、皮膚に有効なミネラル分やタウリンを多く含むと同時に高い安全性を有し、さらに皮膚を滑らかにすることを見出した。これらアワビエキス粉末を配合する化粧水、化粧クリーム、美容液などの化粧料を発明するに至った。
【００１４】
本発明のアワビエキス粉末を配合することを特徴とする、化粧水、化粧クリーム、美容液などの化粧料に併用して配合可能な成分としては、化粧水、化粧クリーム、美容液などの化粧料で一般に使用される基材や薬剤であれば特に限定はされないし、アワビエキス粉末の配合量としても、０．００１〜８９．９９％であれば特に限定はされない。
【発明の効果】
【００１５】
下記の結果から明らかなように、熟成により有効成分の効果が増大し、吸収力が増大したアワビエキス粉末を配合した洗顔料、化粧水、化粧クリーム、美容液、育毛料はアワビエキス粉末を配合していないものと比較すると、化粧料の基本である使用時の肌の突っ張り感や刺激性を改良し、しっとり感やシワの減少や肌のハリに対しても有効であった。また、頭皮にたいしても同様に有効であった。
【発明を実施するための最良の形態】
【００１６】
以下、漂白したアワビエキス粉末と漂白しないアワビエキス粉末について、本発明を実施例により説明するが、本実施例によって、本発明が限定されるものではない。
【実施例１】
【００１７】
洗顔料として下記配合量にて作成した。
2006063007.tif 000002
【実施例２】
【００１８】
化粧水として下記配合量にて作成した。
2006063007.tif 000003
【実施例３】
【００１９】
化粧クリームとして下記配合量にて作成した。
2006063007.tif 000004
【実施例４】
【００２０】
美容液として下記配合量にて作成した。
2006063007.tif 000005
【実施例５】
【００２１】
育毛料として下記配合量にて作成した。
2006063007.tif 000006
【００２２】
上記実施例1〜４の有効性を確認するために、以下の使用テストを行った。実施例品とアワビエキス粉末未配合品との比較を、パネラー１０名の協力を得てアンケート調査し、テスト項目毎について５点評価し、有効性を確認した。
【００２３】
2006063007.tif 000007
【００２４】
パネラー評価結果（評価結果は１０名の評価点の平均点とした）。
2006063007.tif 000008
【００２５】
上記実施例５の有効性を確認するために、以下の使用テストを行った。実施例品とアワビエキス粉末未配合品との比較を、パネラー１０名の協力を得てアンケート調査し、テスト項目毎について５点評価し、有効性を確認した。
【００２６】
2006063007.tif 000009
【００２７】
パネラー評価結果（評価結果は１０名の評価点の平均点とした）。
2006063007.tif 000010
(57)【要約】【課題】  本発明は、歯列矯正治療前期段階において細い径のアーチワイヤを使用する場合には、矯正治療し易いようにアーチワイヤを一定の余裕を以って緩く結着できるようにし、結紮作業も容易で、治療期間を短縮できるようにする。又治療後期の段階における、太いアーチワイヤを使用する場合には固く結着できるようにする。【解決手段】  歯列矯正用ブラケットであって、そのベース11上に間隔をおいて一対の取付体11、12を立設し、各取付体には、その中央部にアーチワイヤＡを挿通するスロット14、15を設け、上端部両側にリガチャーワイヤＲを係止できるウイング16、17を突設してあると共に、各取付体12、13外側の下部両側にはリガチャーワイヤＲを係止できる係止台を夫々設けてある。この係止台18、19は、アーチワイヤが細い場合は係止台間に埋没し、太い場合はその上端部が突出するように形成した。【選択図】  図５
2006068213.tif 000002
【特許請求の範囲】
【請求項１】
歯面に接着できるベース上に、間隔をおいて一対の取付体を立設し、各取付体には、その中央部にアーチワイヤを挿通するスロットを設け、上端部両側にリガチャーワイヤを係止できるウイングを突設してあると共に、各取付体外側の下部両側にはウイングに結着するリガチャーワイヤを係止できる係止台を夫々設けてあることを特徴とする歯列矯正用ブラケット。
【発明の詳細な説明】
【技術分野】
【０００１】
本発明は歯列矯正用のブラケットに関するものである。
【背景技術】
【０００２】
従来の歯列矯正用ブラケットは、歯の表面に接着できるベース上に、所要間隔をおいて一対の取付体を立設し、この各取付体には、その中央部にアーチワイヤを挿通するスロットを設け、上端部両横にリガチャーワイヤを結着できるウイングを突設したものが一般に使用されている。
【特許文献１】特許第２９６０７６９号公報
【発明の開示】
【発明が解決しようとする課題】
【０００３】
一般に歯列矯正治療においては、その前期段階では歯の位置を動かしたり、歯の向きを変えたりして、歯間の調整作業を必要とするため、アーチワイヤは比較的径の細いものを使用し幾分ゆとりを以って緩やかに結着することが必要である。しかし上記従来のブラケットは、細い径のアーチワイヤを使用する場合でも、ウイングに締め付けられるリガチャーワイヤがずれて直接アーチワイヤを圧着するので、アーチワイヤは固く締め付けられがちになる。そこで、従来から治療に当たっては作業者の経験と感に頼って緩やかに結紮するようにしていたが、作業上熟練を必要とすると共に手間がかかり、使用上大変不便を感じていた。
本発明は上記従来の難点に鑑み、矯正治療前期段階における比較的細い径のアーチワイヤを使用する場合には、矯正治療し易いようにアーチワイヤを常に一定の余裕を以って緩く結着できるようにし、又リガチャーワイヤの結紮作業も容易にし、合わせて治療期間を短縮できるようにしたものである。更に、治療後期の段階における、比較的太いアーチワイヤを使用する場合には固く結着できるようにしたものである。
【課題を解決するための手段】
【０００４】
上記目的を達成するために、本発明に係る歯列矯正用のブラケットは次のように構成した。
歯面に接着できるベース上に、間隔をおいて一対の取付体を立設し、各取付体には、その中央部にアーチワイヤを挿通するスロットを設け、上端部両側にリガチャーワイヤを係止できるウイングを突設してある。
而して、各取付体外側の下部両側にはリガチャーワイヤを係止できる係止台を夫々設けてある。この係止台は細いアーチワイヤを係止台間に埋没し、太いアーチワイヤはその上端部が係止台から突出するようにした。
【発明の効果】
【０００５】
本発明によれば、上記の如く構成したことにより、歯列矯正治療の前期段階において、径の細いアーチワイヤを使用する場合は、ウイングに係止されたリガチャーワイヤは係止台で受け止められるので、スロット内に挿通したアーチワイヤは常に一定の余裕がある緩やかな状態で結着される。而してリガチャーワイヤの結紮作業も一段と容易になる。従って治療前期における歯を移動させたり歯の向きを変えるなどの矯正治療を容易に行うことができ、治療期間も著しく短縮できる。更に、治療の後期段階で太いアーチワイヤを使用する場合は係止台より上部でリガチャーワイヤを結着しアーチワイヤを固く係止することができる。
【実施例】
【０００６】
次に添付の図面を参照して本発明の実施例を説明する。
図１乃至図６において、10はブラケット全体を示し、11はそのベースであって、歯の表面に接着できるように形成されている。12、13は所要の間隔をおいて、ベース10上に対設した取付体であって、その各中央部にはアーチワイヤーＡを挿通するスロット14、15を設けてある。又、各取付体12、13の上端部両側にはウイング16、17を夫々突設してある。
【０００７】
更に、18、19は各取付体12、13の外側下部に、その両側からベース上に設けた係止台であって、リガチャーワイヤＲをウイング16、17に締め付けた場合、係止台18、19上端で止着され、リガチャーワイヤがアーチワイヤを圧着しないようにした。従って、図５及び図１に示すように、細いアーチワイヤを使用する場合はスロット下部の係止台18、19内に埋没して緩やかに結着されるようにした。
又、図６に示すように、太いアーチワイヤを使用する場合は、アーチワイヤＡは受台上端より突出しているので、その上端に直接リガチャーワイヤＲが当り固く結着できるようにした。
【図面の簡単な説明】
【０００８】
【図１】本発明に係るブラケットの正面図である。
【図２】平面図である。
【図３】側面図である。
【図４】図２におけるＸ−Ｘ線断面図である。
【図５】細いアーチワイヤの使用状態側面図である。
【図６】太いアーチワイヤの使用状態側面図である。
【符号の説明】
【０００９】
10.  ブラケット
11.  ベース
12.  取付体
13.  取付体
14.  スロット
15.  スロット
16.  ウイング
17.  ウイング
18.  係止台
19.  係止台
【図１】
2006068213.tif 000003
【図２】
2006068213.tif 000004
【図３】
2006068213.tif 000005
【図４】
2006068213.tif 000006
【図５】
2006068213.tif 000007
【図６】
2006068213.tif 000008
(57)【要約】      （修正有）【課題】  コンピューターシステムを利用して、調査地点を指定することで、安価でスピーディーな調査対象の土地使用履歴情報、土壌汚染可能性と推定汚染原因情報を提供する。【解決手段】  地図上の土地利用データーベースに対応して，当該土地を使用した会社・業種名を含む土地使用履歴データーベースと照合することで，土地汚染地域を特定し、情報を提供するためにコンピューターシステムを用いた土壌汚染地域特定支援システムを構築する。【選択図】なし【特許請求の範囲】
【請求項１】
地図上の土地利用データーベースに対応して，当該土地を使用した会社・業種名を含む土地使用履歴データーベースと照合することで，土地汚染地域を特定する土壌地域特定支援システム。又，当該土地を使用した会社・業種名から土壌汚染原因を推定するデーターベースも具備する土壌汚染地域特定システム。
【請求項２】
地理情報システムを利用して構成することを特徴とする請求事項１に記載の土壌汚染地域特定支援いステム。
【請求項３】
土地使用履歴データーベースは，法務局登記簿謄本から会社・業種名の各情報からなる土壌汚染地域特定支援システム。
【請求項４】
地理情報システムを利用して過去の土地利用状況を付加してデーターベースを構築し，土地利用データーベースと土地使用履歴ベースから検索・特定するように構成されている土壌汚染地域特定支援システム。
【発明の詳細な説明】
【背景技術】
【０００１】本発明は，コンピューターシステムを利用した土壌汚染地域特定システムに関し，特に，土地使用履歴データーを含む土壌汚染地域を特定し，その情報を提供するためのシステムに関する。
【背景技術】
【０００２】２００２年５月２２日「土壌汚染対策法」が公布され，土壌汚染による健康被害の防止に関する措置，土壌の状況の把握をすることを目的とする新しい制度が２００３年２月スタートした。内容は「土壌汚染の調査義務」「土壌汚染の情報公開」「汚染対策の実施主体と費用」について基本的ルールを策定し，土壌汚染対策を効率的に実施することである。【０００３】現在までの調査方法では，有害物質取扱事業者が土壌汚染又は大気汚染し人の健康に被害が生じる可能性のある場合，地下水の汚染が認められた場合，開発業者が３０００ｍ２以上の土地等を改変する場合にしか，土壌汚染を特定できず，過去に汚染された土地の大半が手付かずの現状である。【０００４】又，地方自治体の指定区域台帳の閲覧から場所が主流であり，官民ともに汚汚地域の特定に多大の時間と費用を費やせねばならないのも現状である。【０００５】以上のような背景を考慮すると，コンピューターシステムを利用して，顕在的・潜在的な土壌汚染地域を安価でスピーディーに特定できるシステムの構築が望まれる。
【発明が解決しようとする課題】
【０００６】本発明の観点は，コンピューターシステムを利用して，調査地点を指定することで，調査対象の土地使用履歴情報，土壌汚染可能性と推定汚染原因情報を提供することにある。
【０００７】本発明の観点に従ったシステムは，従来調査方法に比較し，安価でスピーディーに土地使用履歴情報と土地汚染情報を取得することができる。
【課題を解決する手段】
本発明は，上記目的を達成するために，地図上の土地利用デターベースに対応して，当該土地を使用した会社・業種名をもつ土地使用履歴データーと照合することで，土地汚染地域を特定し，情報を提供するためにコンピューターシステムを用いた土壌汚染地域特定支援システムを構築することである。
【図面の簡単な説明】
【０００８】
【図１】  当該いステム全体概要図
【図２】  土壌汚染地域特定支援システムフローチャート図
【図１】
2006068717.tif 000002
【図２】
2006068717.tif 000003
(57)【要約】【課題】簡単に鼻毛を切る器具を提供する。【解決手段】  図１により説明すると、  ▲１▼、先は、角の無い形にする。  ▲２▼、山形の歯は、二重になっている内側と外側が同じ形にする。  ▲３▼、二重になっているボールペンのキャップのような形をしたものは、山形の歯も含めて内側が回るような形にする。  ▲４▼、外側の筒を持つ所は、滑りにくい形にする。  ▲５▼、内側の筒を持つ所は、滑りにくい形にする。  以上を特徴とする鼻毛切りである。【選択図】  図１
2006068548.tif 000002
【特許請求の範囲】
【請求項１】
本発明は、山形の歯▲２▼を有したボールペンのキャップのような形をしたものが内側と外側の二重になっているもので、内側は回転が可能になっている鼻毛切り。
【発明の詳細な説明】
【技術分野】
【０００１】  本発明は、簡単に鼻毛を切る器具に関するものである。
【背景技術】
【０００２】  従来の、鼻毛を切る道具である小型のハサミ、また、高価な電池式のもの等、扱いにくいものがあった。
【発明の開示】
【発明が解決しようとする課題】
【０００３】  従来は、鼻毛を切るときに小型のハサミを使用したとき、使いにくく、手間がかかり、そのうえ仕上がりも良くない。
また、電池式のものは、値が高く、そのうえ扱いにくい。
本発明は、これらの問題点を解決するためになされたものである。
【課題を解決するための手段】
【０００４】  この課題を解決するため、図１により説明すると、
▲１▼、先は、角の無い形にする。
▲２▼、山形の歯は、二重になっている内側と外側が同じ形にする。
▲３▼、二重になっているボールペンのキャップのような形をしたものは、山形の歯も含めて内側が回るような形にする。
▲４▼、外側の筒を持つ所は、滑りにくい形にする。
▲５▼、内側の筒を持つ所は、滑りにくい形にする。
以上を特徴とする鼻毛切りである。
【発明の効果】
【０００５】  本発明の鼻毛切りを、鼻の穴に挿入し、内側だけを回す（約９０度）ことにより、山形の歯の形をした歯の間の鼻毛がハサミと同じ要領で切り落とされ、ワンタッチで鼻の穴の周り（３６０度）の鼻毛が切り揃えられる。
また、手動のため電池を使わず安価になる。
【発明を実施するための最良の形態】
【０００６】  本発明の重要な部分である山形の歯▲２▼の利点は、
第一に左右どちらに回しても鼻毛を切ることができる。
第二に内側の山形の歯を回したときにハサミで切るのと同じ要領で鼻毛を切ることができる。そのために、内側と外側の歯は接していることが必要となる。
第三にハサミで切るのと同じ要領で鼻毛を切ることができるので鼻の内側を傷つけることは無く、鼻毛だけを切ることが出来る。
第四に鼻の穴に挿入したときに、鼻毛を集めやすい形になっている。
次に先▲１▼は、鼻の穴に挿入するときに痛くないように角の無い形にする。また、持つ所▲４▼▲５▼は、内側の筒を回すときのために滑りにくい形にする。
最後に、人それぞれ鼻の穴の形が異なっているので、太さ、先細りの角度等、外形も色々取り揃える必要がある。
【産業上の利用可能性】
【０００７】  本発明に係る鼻毛切りは、工業的に量産することが可能であるため、産業上の利用可能性を有する。
【図面の簡単な説明】
【０００８】
【図１】  本発明の斜視図（実物大の図と拡大図）
【図２】  本発明の断面図
【図３】  本発明の図２のＡ部分の拡大図
【図４】  本発明品を使用したときの状況図
【符号の説明】
【０００９】  ▲１▼は本体の先
▲２▼は山形の歯
▲３▼は本体
▲４▼は外側の筒を持つ所
▲５▼は内側の筒を持つ所
▲６▼は外側の筒
▲７▼は内側の筒
▲８▼は外側の山形の歯
▲９▼は内側の山形の歯
Ａは拡大図の場所を示す符号
Ｂは滑りにくい形をした場所を示す符号
Ｃは鼻毛を切る場所を示す符号
【図１】
2006068548.tif 000003
【図２】
2006068548.tif 000004
【図３】
2006068548.tif 000005
【図４】
2006068548.tif 000006
(57)【要約】      （修正有）【課題】粉体を貯蔵する時に小さな容積で沢山の粉体が貯蔵出来るとともに、粉体を長期保存する時、粉体が湿気を帯びないようにした粉体減容積装置を提供する。【解決手段】容器▲２▼と移動式圧縮蓋▲３▼と気密パッキン▲４▼と空気抜き取り多孔板▲５▼と空気排気管▲６▼と空気抜き取りポンプ▲７▼で構成される。粉体の粒子間の保有空気が６０％程度の場合は粉体の密度が約２倍となって、運搬時の経費が半分程度になった。又粉体に湿気が無いため、腐敗、固化等が起こらず品質の保持が出来た。【選択図】図１
2006068810.tif 000002
【特許請求の範囲】
【請求項１】
容器▲２▼の中へ粉体▲１▼を入れて移動式圧縮蓋▲３▼を、パッキン▲４▼で空気の流入を遮断し、容器▲２▼の中に入っている粉体▲１▼の粒子間の空気を多孔板▲５▼を通して、抜き取ることにより、粉体▲１▼を圧縮すると共に湿分を除去する方法である。
【発明の詳細な説明】
【発明の詳細な説明】
【産業上の利用分野】
現在の粉体容器は、粉体の粒子間に空気を保有する為、保有密度が低く、貯蔵効率が悪い。
又空気を保有する為、湿気を帯びやすく、腐敗、固化等が起きる。それを解決する為に開発した。
【背景技術】従来の粉体容器はサイロ、ホッパなどに粉体を貯蔵している。
粉体の粒子間に空気を保有した状態の為、粉体の嵩比重が低く、貯蔵重量が少ない。
又空気が出入する為、粉体に湿分が含み易く、腐敗、固化等が起きていた。
【発明が解決しようとする課題】
粉体の容器に、高密度で貯蔵し、湿気を帯びないようにしたい。
【課題を解決するための手段】
粉体を入れた容器の中の、粒子間の保有空気を取り除く為には、空気を取り除いた分だけ容器中の体積が小さくならなければならない。
空気を取り除いても容器内は真空状態になるだけで粉体の体積は変わらないので、パッキンにより空気の流入を遮断した、移動圧縮蓋にて、粉体を圧縮し縮小させ、密度を高くする。
【作用】
粉体の粒子間の保有空気を取り除く為、密度が高くなる。
粉体の粒子間に空気が無い為、粉体に湿気を帯びない。
【実施例】本発明により貯蔵する場所が有効に使用できるようになった。
運搬時も今迄よりも１度に沢山の製品が運べるようになり低コストで出来るようになった。
粉体に湿気が無いため、腐敗、固化等が起こらず品質の保持が出来た。
【発明の効果】
粉体の貯蔵する場所に沢山の粉体が置けるようになった。
粉体を運搬する時も１台の車に沢山積むことが出来低コストで出来るようになった。
粉体の間に空気が無い為粉体に湿気を帯びなくなった。
本発明は、粉体以外の綿、綿くず、植物の葉等繊維質の物およびビニール、プラスチック類の圧縮にも応用出来る。
空気以外のガスの場合でも応用出来る。
【図面の簡単な説明】
【図１】  断面図
【符号の説明】
▲１▼  粉体
▲２▼  容器
▲３▼  移動式圧縮蓋
▲４▼  気密パッキン
▲５▼  多孔板
▲６▼  空気排気管
▲７▼  空気抜き取りポンプ
【図１】
2006068810.tif 000003